(57)【特許請求の範囲】
【請求項１】
甲被の履口部からつま先部側を左右に分離した分離甲被片を分離または連結する、第１足甲ベルトと、第２足甲ベルトと、これら第１，第２足甲ベルト及び前記分離甲被片の一部に取り付けた面ファスナーとを備えたシューズであって、
前記第１足甲ベルトは、略三角形状であり、３つの頂点のうち、
１点が、第一趾側くるぶしに相当する位置において、前記分離甲被片の一方に固定され、
１点が、第二趾・第三趾の末節骨ないし中節骨に相当する位置において、前記つま先部側に固定されると共に、
残り１点が、第五趾側くるぶしに相当する位置において、前記分離甲被片の他方に面ファスナーの接触により調整可能に接合するように設けられ、
前記第２足甲ベルトは、前記第１足甲ベルトの上側又は下側を架橋するように配置し、装着される略一文字状であり、
一端が、前記第一趾側くるぶしに相当する位置よりつま先部側の分離甲被片の一方に固定されると共に、
他端が、前記第五趾側くるぶしに相当する位置よりつま先部側の分離甲被片の他方に面ファスナーの接触により調整可能に接合するように設けられ、 
前記第１足甲ベルトの中央部分に、略三角形状の欠切部を設け、
さらに、前記左右の分離甲被片の内側に砂除けを備え、
当該砂除けの、該左右の分離甲被片から露出していて、かつ、前記略三角形状の欠切部の下方に位置する部位に、第２足甲ベルト用のベルト通しが設けられてなる
ことを特徴とするシューズ。
【請求項２】
第２足甲ベルトは、その固定端近傍に伸縮部材を有することを特徴とする請求項１に記載のシューズ。
【発明の詳細な説明】
【技術分野】
【０００１】
本発明は、ベルトと面ファスナーで甲被を緊締するシューズに関し、特に、足の甲全体をしっかりと締め付けることができ、しかも、締め付け具合の微調整が可能なうえ、運動時におけるシューズ内での足の動きを抑制できるシューズに関する。
【０００２】
甲被を緊締するために、ベルトの一端を甲被片の一方に固定し、他端を面ファスナーの接触により甲被片のもう一方に接合させるシューズは、これまで種々多様なものが開発されてきている。
例えば、特許文献１には、足の幅方向に横断する２本の一文字状の緊締ベルト（４），（５）を備えた陸上競技用シューズが開示されている。
しかしながら、これら一文字状のベルトによる締め付けは、足のボール部（第一趾と第五趾の付根の最も突出した箇所）だけの締め付け、インステップ部（足の甲の楔状骨（図６参照）に相当する部分）だけの締め付け、というように局所的であり、足の甲全体を締め付けるものではなかった。
【０００３】
一方、特許文献２〜４では、甲被片の一方に固定する部分（支点）を２か所設ける略Ｙ字状のベルトを備えたシューズが提案されている。
しかし、これら支点（甲被との固定部分）を２点有する略Ｙ字状ベルトにおいても、足の甲全体を締め付けるには不十分であり、蹴り出しや着地時におけるシューズ内での足の動きを抑制できるものではなかった。
【先行技術文献】
【特許文献】
【０００４】
【特許文献１】特開２００４−６５７２４号公報
【特許文献２】特開平５−８４１０５号公報
【特許文献３】特許第４８６８６６５号公報
【特許文献４】特許第４９２０４８０号公報
【発明の概要】
【発明が解決しようとする課題】
【０００５】
本発明は、以上のような状況に鑑み、足の甲全体をしっかりと締め付けることができ、しかも、締め付け具合の微調整が可能なうえ、運動時におけるシューズ内での足の動きを十分に抑制できるシューズの提供を課題とする。
【０００６】
本発明者は、上記課題を解決するために検討を重ねた結果、１本のベルトを略三角形状とし、その２つの頂点を、甲被の第一趾側くるぶしに相当する位置のみならず、つま先部側でも固定させることで、従来局所的だった締め付けとは異なり、足の甲全体を一度に締め付けることができ、フィット性が高まる点に着目し、
さらに、甲被の横アーチ（第一趾付根のボール部からやや中足骨（図６参照）側の位置と第五趾付根のボール部からやや中足骨側の位置とをつなぐ（結ぶ）アーチ）上に、もう１本の略一文字状のベルトを配置し、装着すれば、締め付け具合の微調整が可能となるうえ、フィット性がより一層向上することを見出し、本発明を完成するに至った。
以下、上記の各ボール部からやや中足骨側の位置を、「ボール部周辺」と記すことがある。
【課題を解決するための手段】
【０００７】
すなわち、本発明のシューズは、
甲被の履口部からつま先部側を左右に分離した分離甲被片を分離または連結する、第１足甲ベルトと、第２足甲ベルトと、これら第１，第２足甲ベルト及び前記分離甲被片の一部に取り付けた面ファスナーとを備えたシューズであって、
前記第１足甲ベルトは、略三角形状であり、３つの頂点のうち、
１点が、第一趾側くるぶしに相当する位置において、前記分離甲被片の一方に固定され、
１点が、第二趾・第三趾の末節骨ないし中節骨に相当する位置において、前記つま先部側に固定されると共に、
残り１点が、第五趾側くるぶしに相当する位置において、前記分離甲被片の他方に面ファスナーの接触により調整可能に接合するように設けられ、
前記第２足甲ベルトは、前記第１足甲ベルトの上側又は下側を架橋するように配置し、装着される略一文字状であり、
一端が、前記第一趾側くるぶしに相当する位置よりつま先部側の分離甲被片の一方に固定されると共に、
他端が、前記第五趾側くるぶしに相当する位置よりつま先部側の分離甲被片の他方に面ファスナーの接触により調整可能に接合するように設けられ、
前記第１足甲ベルトの中央部分に、略三角形状の欠切部を設け、
さらに、前記左右の分離甲被片の内側に砂除けを備え、
当該砂除けの、該左右の分離甲被片から露出していて、かつ、前記略三角形状の欠切部の下方に位置する部位に、第２足甲ベルト用のベルト通しが設けられてなる
ことを特徴とする。
このとき、第２足甲ベルトは、その固定端近傍に伸縮部材を有してもよい。
【発明の効果】
【０００８】
本発明のシューズでは、第１足甲ベルトを略三角形状とし、その２つの頂点を、甲被の第一趾側くるぶしに相当する位置とつま先部側とで固定するので、足の甲全体をしっかりと締め付けることができるとともに、前述の横アーチ上に配置、装着した略一文字状の第２足甲ベルトにより、締め付け具合の微細な調整を容易かつ適切に行うことができる。
さらに、第２足甲ベルトの固定端近傍に取り付けた伸縮部材により、横アーチ周辺の緊締性と伸縮性とが一層高められる。
このような本発明のシューズは、歩行・運動時のシューズ内での足の動きを十分抑制することができ、フィット性も履き心地も極めて良好なので、歩行や運動に適している。
【図面の簡単な説明】
【０００９】
【図１】本発明のシューズの一実施形態を正面上方から見た説明図である。
【図２】図１に示したシューズを第五趾側斜め前方から見た説明図であり、全ての面ファスナーの接合を外して展開した状態を示す図である。
【図３】図２に示したシューズにおいて、第１足甲ベルトと分離甲被片とを接合する面ファスナーを接合した状態を示す説明図であり、（Ａ）が第五趾側斜め前方から見た図、（Ｂ）が正面上方から見た図、（Ｃ）が第一趾側から見た側面図である。
【図４】本発明のシューズの他の実施形態を、第１足甲ベルトと分離甲被片とを接合する面ファスナーを接合した状態で、正面上方から見た説明図である。
【図５】図３に示したシューズにおいて、第２足甲ベルトと分離甲被片とを接合する面ファスナーを接合した状態を示す説明図であり、（Ａ）が第五趾側斜め前方から見た図、（Ｂ）が第一趾側から見た側面図である。
【図６】足の骨格の説明図である。
【発明を実施するための形態】
【００１０】
以下、添付の図面を参照して本発明に係るシューズの実施の形態を説明する。
なお、本明細書においては、左足に着用される左側のシューズについて説明し、右側のシューズについては、説明を省略する。
【００１１】
図１は、本発明のシューズの一実施形態を正面上方から見た説明図である。
図２は、図１に示したシューズを斜め前方（第五趾である小指側）から見た説明図であり、全ての面ファスナーの接合を外して展開した状態を示している。
【００１２】
本発明のシューズ１００は、図１，２に示すように、甲被１０２の履口部３からつま先部側を左右に分離した分離甲被片１０２ａ，１０２ｂを分離または連結する、第１足甲ベルト１０と、第２足甲ベルト２０と、これら足甲ベルト１０，２０と分離甲被片１０２ａの一部に取り付けた２対の面ファスナーＦ１，Ｆ２，Ｆ３，Ｆ４とを備えている。
これら２対の面ファスナーは、それぞれ、Ｆ１とＦ２、Ｆ３とＦ４が、調整可能に接合するように設けてあれば、どちらが雌型、雄型であるかの制限はない。
図中、符号１０１は、ソールを示し、符号４は、分離甲被片１０２ａ，１０２ｂの内側に設けられた砂除けを示す。
【００１３】
図３は、図２に示したシューズ１００において、面ファスナーＦ１，Ｆ２を接合した状態を示す説明図であり、（Ａ）が斜め前方（第五趾である小指側）から見た図、（Ｂ）が正面上方から見た図、（Ｃ）が第一趾である親指側から見た側面図である。
図中の斜線部は、第１足甲ベルト１０と、甲被１０２のつま先部側との固定部分を示し、以下「第二趾・第三趾の末節骨ないし中節骨に相当する位置Ｔ」と称することがある。
足の骨格の説明図については、図６に示す。
【００１４】
図３（Ａ）〜（Ｃ）に示すように、第１足甲ベルト１０は、略三角形状であり、３つの頂点のうち、
１点が、第一趾側くるぶしに相当する位置Ｓにおいて、分離甲被片の一方１０２ｂに固定され、
１点が、第二趾・第三趾の末節骨ないし中節骨に相当する位置Ｔにおいて、つま先部側に固定されると共に、
残り１点が、第五趾側くるぶしに相当する位置Ｕにおいて、分離甲被片の他方１０２ａに面ファスナーＦ１，Ｆ２の接触により調整可能に接合するように設けられる。
なお、第１足甲ベルト１０と第一趾側くるぶしに相当する位置Ｓとの固定部分は、分離甲被片の１０２ｂの砂除け側の縁１０２ｂｅの近傍まで延びていてもよいし（図３（Ｃ）参照）、第１足甲ベルト１０とつま先部側との固定部分は、第二趾・第三趾の基節骨に相当する位置まで延びていてもよい（図３（Ｂ）や図６参照）。
【００１５】
このように、本発明のシューズ１００は、第１足甲ベルト１０を略三角形とし、その支点（甲被１０２との固定部分）を、第一趾側くるぶしに相当する位置Ｓのみならず、つま先部側（位置Ｔ）にも設けるというシンプルな構造であるにも拘らず、１本のベルトにて、つま先から両くるぶしまで足の甲全体を一度にしっかりと締め付けることができ、局所的な（例えば、つま先部側とくるぶし側とを別々のベルトで締め付ける等の）従来のベルトに比して、より優れたフィット性が得られる。
また、後述の第２足甲ベルト２０が、第１足甲ベルト１０の上側を架橋するように配置、装着される場合には、第一趾側くるぶしに相当する位置Ｓにおける支点と、つま先部側（位置Ｔ）における支点との間も、分離甲被片１０２ｂに固定することにより、シューズ着用時の利便性を図ってもよい。
【００１６】
さらに、本発明のシューズ１００では、図３（Ａ）に示すように、第五趾側くるぶしに相当する位置Ｕに、面ファスナーの接触による分離甲被片１０２ａとの接合を設けているので、歩行・運動時に、左右の第１足甲ベルト１０，１０の先端１０ｅ，１０ｅ同士が接触・摩擦・衝突等することがなく、ベルト１０が外れる虞がない。
よって、第一趾側くるぶしに相当する位置Ｓに、面ファスナーの接触による分離甲被片１０２ｂとの接合を設けた場合（すなわち、第１足甲ベルト１０の支点を、つま先部側（位置Ｔ）のみに設けた場合、あるいは、つま先部側（位置Ｔ）と第五趾側くるぶしに相当する位置Ｕに設けた場合など）に生じやすい問題を良好に回避できる。
【００１７】
また、図１〜３に示したシューズ１００は、図４に例示するようなシューズ２００に変更することができる。このシューズ２００は、第１足甲ベルト１０の中央部分Ｍを、略三角形状に欠切させている。
このとき、砂除け４の、分離甲被片１０２ａ，１０２ｂから露出していて、かつ、上記略三角形状の欠切部Ｍの下方に位置する部位に、後述の第２足甲ベルト２０を通すためのベルト通し５を設ければ、シューズ着用時の砂除け４のズレ防止効果が得られるので、好ましい。
なお、中央部分Ｍの欠切の形状は、略三角形状に限定されるものではなく、円形状、楕円形状、長方形状、星形状、ハート形状などであってもよい。
【００１８】
図５は、図３に示したシューズ１００において、第２足甲ベルト２０と分離甲被片１０２ｂとを接合する面ファスナーＦ３，Ｆ４を接合した状態を示す説明図であり、（Ａ）が斜め前方（第五趾である小指側）から見た図、（Ｂ）が第一趾である親指側から見た側面図である。
【００１９】
図５（Ａ），（Ｂ）に示すように、本発明のシューズ１００では、第２足甲ベルト２０は、第１足甲ベルト１０ないし分離甲被片１０２ａ，１０２ｂを架橋するように配置、装着される略一文字状であり、
一端が、第一趾側くるぶしに相当する位置Ｓよりつま先部側の分離甲被片の一方１０２ｂに固定されると共に、
他端が、第五趾側くるぶしに相当する位置Ｕよりつま先部側の分離甲被片の他方１０２ａに面ファスナーＦ３，Ｆ４の接触により調整可能に接合するように設けられる。
上記“位置Ｓよりつま先部側”、および“位置Ｕよりつま先部側”の好ましい位置としては、それぞれの「ボール部周辺」であり、第２足甲バンド２０は、横アーチ上に配置、装着されることがより好ましい。
なお、図１や図５では、第２足甲ベルト２０を、第１足甲ベルト１０の上側に配置、装着した実施形態を示しているが、本発明では、第２足甲ベルト２０を、第１足甲ベルト１０の下側に配置、装着することも可能である。
【００２０】
このような第２足甲ベルト２０により、甲被１０２のボール部周辺が幅方向に締め付けられるので、細かい締め付け調整が可能となる。
また、第１足甲ベルト１０と第２足甲ベルト２０を一体化しない（例えば、第２足甲ベルト２０を第１足甲ベルト１０上に固定したり、第２足甲ベルトの裏面と第１足甲ベルトの表面とを面ファスナー等で接合したりしない）ので、個人の足に合わせたフィット性が実現しやすい。
加えて、第１足甲ベルト１０の面ファスナーＦ１，Ｆ２を接合した状態のまま、第２足甲ベルト２０の面ファスナーＦ３，Ｆ４の脱着が可能なので、例えば、歩行時に足の圧迫から解放されたい時や、マラソンなどの長距離の走行中により締め付けたい時などに、歩行（または走行）を静止することなく状況に応じた微調整ができる。
【００２１】
本発明では、図１や図５（Ｂ）などに示すように、第２足甲ベルト２０が、その固定端近傍に伸縮部材２１を有することが好ましい。
伸縮部材２１としては、伸縮性のある素材であれば特に限定されるものではなく、中でも、耐久性の観点から、ゴムが好ましい。
このような伸縮部材２１を、第２足甲ベルト２０の固定端近傍に用いれば、横アーチ周辺の緊締性と伸縮性が一層高まり、歩行・運動時、特に、蹴り出しや着地時におけるシューズ内での足の動きを十分抑制できる。
なお、伸縮部材２１の長さは、短すぎれば、シューズ内での足の動きを十分に抑制できず、長すぎれば、足の横アーチ周辺における締め付けが不十分になる虞があるので、１０〜１５ｍｍ程度とすればよい。
【００２２】
図１および図５（Ａ），（Ｂ）は、本発明のシューズ１００の面ファスナーを全て接合させた状態、すなわち、シューズの着用時をも示している。
本発明では、面ファスナーは、少なくとも、
図２の符号Ｆ１，Ｆ２が示すように、第１足甲ベルト１０の頂点のうちの１点の裏面と、分離甲被片１０２ａの第五趾側くるぶしに相当する位置Ｕの表面と、
同図の符号Ｆ３，Ｆ４が示すように、第２足甲ベルト２０の先端（固定端の反対側端）の裏面と、分離甲被片１０２ａの第五趾側くるぶしに相当する位置Ｕよりつま先部側の表面とに、
面ファスナーの接触により調整可能に接合するように設けてなる。
【００２３】
面ファスナーＦ１，Ｆ２は、主に甲被全体の締め付けを調整することができる。
図２では、面ファスナーＦ１は、第１足甲ベルト１０の裏面において、その先端１０ｅの近傍部分に設けられているが、面ファスナーＦ１の一部が面ファスナーＦ４とも接合できるように、中央部分Ｍまで延長して設けることもできる。その場合、第１足甲ベルト１０と分離甲被片１０２ａとの面ファスナーによる接合面積が増えるので、足の甲全体をよりしっかりと締め付けやすくなる。
また、面ファスナーＦ２は、図２に示すように、分離甲被片１０２ａの表面において、第五趾側くるぶしに相当する位置Ｕのみならず、砂除け側の縁１０２ａｅまで延長して設けておけば、締め付け具合の微調整がしやすい。
【００２４】
面ファスナーＦ３，Ｆ４は、Ｆ１，Ｆ２で調整した甲被全体の締め付けに加え、足の横アーチ周辺にて締め付けの微調整をすることができる。
面ファスナーＦ３は、図２に示すように、第２足甲ベルト２０の先端（固定端の反対側端）の裏面に、接合する面ファスナーＦ４と略同一サイズで設ければよいが、第２足甲ベルト２０の裏面全体を覆うように設けておくと、第２足甲ベルト２０の耐久性が向上するうえ、足の甲が高め、或いは低めの着用者であっても、緊締程度の調整により確実に対応することができる。
分離甲被片１０２ａの表面において、第五趾側くるぶしに相当する位置Ｕよりつま先部側に設けられる面ファスナーＦ４については、図３（Ａ），（Ｂ）に示すように、少なくとも、第１足甲ベルト１０に覆われない位置に設けられ、また、面ファスナーＦ３，Ｆ４を接合した状態において、第２足甲ベルト２０に覆われる程度の大きさだと美観的に好ましい。
【産業上の利用可能性】
【００２５】
本発明に係るシューズは、シンプルな構造ながら、従来の局所的な締め付けとは異なり、足の甲全体をしっかりと締め付けることができ、フィット性に優れ、しかも、歩行・運動の際にはシューズ内での足の動きを抑制できる。
さらに、個人の足に合わせた締め付け具合の微調整が可能なうえ、第１足甲ベルトを締めた状態のまま、第２足甲ベルトのみで締め付けを調整することもできるので、このシンプルな構造は、どのような靴にでも備えることができ、特にウォーキングシューズ、ランニングシューズなどのスポーツシューズに最適なものである。また、このようにフィット性に優れ、締め付け具合の微調整が可能なことから、リハビリ用のシューズや高齢者用のシューズとしても好適である。
【符号の説明】
【００２６】
１００，２００      シューズ
１０１      ソール
１０２      甲被
１０２ａ，１０２ｂ      分離甲被片
１０２ａｅ      分離甲被片１０２ａの砂除け側の縁
１０２ｂｅ      分離甲被片１０２ｂの砂除け側の縁
１０        第１足甲ベルト
１０ｅ      第１足甲ベルトの先端
２０        第２足甲ベルト
２１        伸縮部材
３          履口部
４          砂除け
５          第２ベルト用のベルト通し
Ｆ１，Ｆ２，Ｆ３，Ｆ４      面ファスナー
Ｍ          第１足甲ベルトの中央部分
Ｓ          第一趾側くるぶしに相当する位置
Ｔ          第二趾・第三趾の末節骨ないし中節骨に相当する位置
Ｕ          第五趾側くるぶしに相当する位置
【図１】
0006444687.tif 000002
【図２】
0006444687.tif 000003
【図３】
0006444687.tif 000004
【図４】
0006444687.tif 000005
【図５】
0006444687.tif 000006
【図６】
0006444687.tif 000007